(57)【要約】      （修正有）【課題】コストの増大を抑制しつつ、高い耐震性を確保することが可能な場所打ち杭と床板の接合構造を提供する。【解決手段】場所打ち杭と床板の接合構造（接合構造１００）の代表的な構成は、場所打ち杭１１０の上にコンクリート製の床板１２０を接合する場所打ち杭１１０と床板１２０の接合構造であって、場所打ち杭１１０の主鉄筋１１２は、床板１２０の上方まで伸びていて、床板１２０内において主鉄筋１１２と床板１２０のコンクリートを非定着とし、床板１２０の上側で主鉄筋１１２の上端を定着板１３０で固定することを特徴とする。【選択図】図１
2020037787.tif 000002
【特許請求の範囲】
【請求項１】
場所打ち杭の上にコンクリート製の床板を接合する場所打ち杭と床板の接合構造であって、
前記場所打ち杭の主鉄筋は、前記床板の上方まで伸びていて、
前記床板内において前記主鉄筋と前記床板のコンクリートを非定着とし、
前記床板の上側で前記主鉄筋の上端を定着板で固定することを特徴とする場所打ち杭と床板の接合構造。
【請求項２】
前記主鉄筋は、前記場所打ち杭の中に配置される部位のうち、前記床板から所定範囲下方までの部位は前記場所打ち杭のコンクリートと非定着となっていることを特徴とする請求項１に記載の場所打ち杭と床板の接合構造。
【請求項３】
前記主鉄筋を発泡ウレタンで被覆する、また該主鉄筋を筒状部材に挿通することにより、該主鉄筋と前記コンクリートとの縁を切り、それらを非定着とすることを特徴とする請求項１または２に記載の場所打ち杭と床板の接合構造。
【発明の詳細な説明】
【技術分野】
【０００１】
本発明は、場所打ち杭の上にコンクリート製の床板（しょうばん）を接合する場所打ち杭と床板の接合構造に関するものである。
【背景技術】
【０００２】
電気事業者の変電所等では、鋼管杭や場所打ち杭の上に接合された床板を基礎として変電設備を設置することがある。鋼管杭としては、特許文献１を例示することができる。特許文献１では、地中に埋設した鋼管にコンクリートを充填することにより基礎杭（鋼管杭）を形成している。そして、杭頭部に柱を建て付け、柱の両側に基礎梁を接合し、基礎杭と基礎梁との間に緊結材（主鉄筋とも称される）を取り付けている。
【先行技術文献】
【特許文献】
【０００３】
【特許文献１】特開２００３−９００５０号公報
【発明の概要】
【発明が解決しようとする課題】
【０００４】
特許文献１の基礎杭（鋼管杭）では、緊結材を基礎梁に取り付けている。これに対し、場所打ち杭では、地中に形成した場所打ち杭の内部に配置された主鉄筋を、場所打ち杭の上方に形成したコンクリート製の床板に定着させることがある。このとき、場所打ち杭および床板には高い耐震性が求められる。
【０００５】
地震による振動が生じると、床板には大きな水平力が作用し、場所打ち杭の杭頭、すなわち場所打ち杭と床板の接合箇所には大きな回転モーメントが発生する。この大きな回転モーメントに対応するためには、主鉄筋を太くする、または主鉄筋の本数を増やす必要がある。主鉄筋を太くすると、主鉄筋と床板との結合に必要な定着長が長くなるため、床板の厚みを厚くしなければならなくなる。また、主鉄筋の本数を増やすと杭径が太くなる場合もある。このため、基礎構築に要するコストが増大してしまう。
【０００６】
本発明は、このような課題に鑑み、コストの増大を抑制しつつ、高い耐震性を確保することが可能な場所打ち杭と床板の接合構造を提供することを目的としている。
【課題を解決するための手段】
【０００７】
上記課題を解決するために、本発明にかかる場所打ち杭と床板の接合構造の代表的な構成は、場所打ち杭の上にコンクリート製の床板を接合する場所打ち杭と床板の接合構造であって、場所打ち杭の主鉄筋は、床板の上方まで伸びていて、床板内において主鉄筋と床板のコンクリートを非定着とし、床板の上側で主鉄筋の上端を定着板で固定することを特徴とする。
【０００８】
上記構成では、床板において主鉄筋とコンクリートが非定着となっている。このため、定着長に応じて床板の厚みを厚くする必要がない。したがって、床板の厚みに起因するコストの増大を抑制することができる。また床板内において主鉄筋とコンクリートとが非定着であることにより、床板内の主鉄筋はひずむ（伸びる）ことが可能となり、地震の水平力によって場所打ち杭と床板の接合箇所に回転モーメントがかかった際に、床板内の主鉄筋のひずみによって変位を吸収することができる。これにより、主鉄筋の塑性変形を防止し、高い耐震性を確保することが可能となる。
【０００９】
上記主鉄筋は、場所打ち杭の中に配置される部位のうち、床板から所定範囲下方までの部位は場所打ち杭のコンクリートと非定着となっているとよい。かかる構成によれば、主鉄筋の一部は、場所打ち杭のコンクリートとも非定着となる。主鉄筋のうちひずむ（伸びる）ことが可能な自由長が長くなり、地震時の回転モーメントによる変位をより好適に吸収することができ、耐震性を更に高めることが可能となる。
【００１０】
上記主鉄筋を発泡ウレタンで被覆する、また該主鉄筋を筒状部材に挿通することにより、該主鉄筋と前記コンクリートとの縁を切り、それらを非定着とするとよい。これにより、主鉄筋とコンクリートとを好適に非定着とすることができる。
【発明の効果】
【００１１】
本発明によれば、コストの増大を抑制しつつ、高い耐震性を確保することが可能な場所打ち杭と床板の接合構造を提供することが可能となる。
【図面の簡単な説明】
【００１２】
【図１】本実施形態にかかる場所打ち杭と床板の接合構造を説明する図である。
【図２】床板の厚みについて説明する図である。
【図３】回転モーメントについて説明する図である。
【図４】本実施形態の接合構造の他の例を説明する図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本実施形態にかかる場所打ち杭と床板の接合構造（以下、接合構造１００と称する）を説明する図である。本実施形態の接合構造１００では、場所打ち杭１１０の上に、コンクリート製の床板１２０を接合する。接合構造１００では、まず地中を掘削して穴１１０ａを形成し、穴１１０ａの内部に主鉄筋１１２を配置する。そして、主鉄筋１１２の上端１１２ａが穴１１０ａより上方に位置する状態で、穴１１０ａの内部にコンクリート１１４を打設することにより、場所打ち杭１１０が形成される。
【００１５】
次に、場所打ち杭１１０の上方に床板用の鉄筋１２２を配置し、主鉄筋１１２の上端１１２ａを露出させた状態で、主鉄筋１１２が非定着となるように床板用のコンクリート１２４を打設する。これにより、場所打ち杭１１０の主鉄筋１１２が床板１２０よりも上方まで伸びた状態となる。
【００１６】
主鉄筋１１２を床板１２０のコンクリート１２４と非定着する方法としては、主鉄筋１１２を筒状部材１５０に挿通する方法や、主鉄筋１１２を発泡ウレタンで被覆する方法を例示することができる。かかる方法によれば、主鉄筋１１２と床板１２０との縁を切ることができ、それらを良好に非定着とすることができる。ただし、これに限定するものではなく、他の方法を用いることも当然にして可能である。
【００１７】
そして、コンクリート１２４が硬化したら、床板１２０の上側で主鉄筋１１２の上端１１２ａを定着板１３０で固定する。その後、必要に応じて化粧用のコンクリート１４０を打設する。
【００１８】
図２は、床板の厚みについて説明する図であり、図２（ａ）は、本実施形態の接合構造１００を示す図であり、図２（ｂ）は、従来の接合構造１０を示す図である。なお、本実施形態の接合構造１００と従来の接合構造１０において共通する構成要素については、同一の符号を付して説明を割愛する。
【００１９】
図２（ｂ）に示す従来の接合構造１０では、主鉄筋１２は、床板１２のコンクリートに定着されている。このような構造では、主鉄筋１０ａ（杭頭鉄筋）の定着長は、「場所打ち杭１１０の有効径ｄ／２＋基本定着長Ｌ０（主鉄筋の直径×１０）」の計算式によって算出される。このため、主鉄筋１０ａを太くすると、基本定着長Ｌ０が大きくなるため、主鉄筋１０ａの定着長が長くなり、床板１２の厚みを厚くしなくてはならなくなってしまう。一方、主鉄筋１０ａの数を増やすと、場所打ち杭１１０の有効径ｄが大きくなる。このため床板１２の定着長が長くなり、床板１２の厚みを厚くしなくてはならなくなってしまう。
【００２０】
そこで本実施形態の接合構造１００では、床板１２０内において主鉄筋１１２と床板１２０のコンクリートを非定着としている。かかる構成によれば、床板１２０の厚みを設定する際に定着長を考慮する必要がなく、床板が支圧に耐えられるように、最低限の構造上の必要厚さを設定すればよい。すると、床板１２０を図２に示す厚みＴ１の分、薄くすることができる。したがって、定着長に起因する床板１２０の厚みの増加が生じることがなく、床板１２０の厚みによるコストの増大を抑制することができる。なお、床板１２０の上部における主鉄筋１１２のコンクリートのかぶり厚Ｔ２は、従来の接合構造１０と同様の厚みとすることができる。
【００２１】
図３は、回転モーメントについて説明する図である。地震による振動が生じると、床板１２０には図３に示すように水平力が作用する。これにより、場所打ち杭１１０と床板１２０との接合箇所には回転モーメントが発生する。このとき、本実施形態の接合構造１００のように床板１２０内において主鉄筋１１２とコンクリート１２４とが非定着であることにより、床板内の主鉄筋はひずむ（伸びる）ことが可能となり、地震の水平力によって接合箇所にかかった回転モーメントによる変位を、床板１２０内の主鉄筋１１２のひずみによって吸収することができる。したがって、主鉄筋１１２の塑性変形を防止し、高い耐震性を確保することが可能となる。
【００２２】
図４は、本実施形態の接合構造の他の例を説明する図である。図４に示す接合構造２００では、主鉄筋１１２は、場所打ち杭１１０の中に配置される部位のうち、床板１２０から所定範囲下方までの部位が場所打ち杭１１０のコンクリート１１４と非定着となっている。これにより、主鉄筋１１２のうちひずむ（伸びる）ことが可能な自由長が長くなり、上述した地震時の回転モーメントによる変位をより好適に吸収することができ、耐震性を更に高めることが可能となる。
【００２３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２４】
本発明は、場所打ち杭の上にコンクリート製の床板（しょうばん）を接合する場所打ち杭と床板の接合構造に利用することができる。
【符号の説明】
【００２５】
１０…接合構造、１０ａ…主鉄筋、１２…床板、１００…接合構造、１１０…場所打ち杭、１１０ａ…穴、１１２…主鉄筋、１１２ａ…上端、１１４…コンクリート、１２０…床板、１２２…鉄筋、１２４…コンクリート、１３０…定着板、１４０…コンクリート、１５０…筒状部材、２００…接合構造
【図１】
2020037787.tif 000003
【図２】
2020037787.tif 000004
【図３】
2020037787.tif 000005
【図４】
2020037787.tif 000006